(57)【要約】  家具本体３の中で変位可能に配置された引き出し９等の家具部品のための伸縮式ガイド１は伸張手段を備え、これは、家具部品に固定されるラッチ要素７によって家具部品へ掛止することのできる走行用レール２を有し、また、家具本体に固定される少なくとも１つの案内用レール４を有し、また好ましくは、伸張長さを増大させるとともに案内用レール４と走行用レール２との間に配置された中央レール５を有する。ラッチ要素７は、２つのラッチ耳７ｄ，７ｅを有し、走行用レール２は、引き出しの嵌め込み方向において互いにずらせて配置された２つ以上の切抜部８，９を有している。ラッチ耳７ｄ，７ｅ及び切抜部８，９は、第１のラッチ耳７ｄが第１の切抜部８に係合するかあるいは第２のラッチ耳７ｅが第２の切抜部９に係合するかのいずれか一方だけの方式で、配置され、従って、その取り付けが簡略化される。【選択図】  図４
2009517151.tif 000002
【特許請求の範囲】
【請求項１】
家具本体（３）の中で変位可能に配置された引き出し（９）、伸張体その他の家具部品のための伸縮式ガイド（１）であって、
ａ．前記家具部品側に固定されるラッチ要素（７）によって前記家具部品へ掛止することのできる走行用レール（２）を有し、
ｂ．前記家具本体側に固定される少なくとも１つの案内用レール（４）を有し、
ｃ．好ましくは及び／又は場合によっては、伸張長さを増大させるとともに前記案内用レール（４）と前記走行用レール（２）との間に配置された中央レール（５）を有し、
ｄ．前記ラッチ要素（７）が、２つのラッチ耳（７ｄ，７ｅ）を有し、前記走行用レール（２）は、前記引き出しの嵌め込み方向において互いにずらせて配置された２つ以上の切抜部（８，９）を有し、
ｅ．前記ラッチ耳（７ｄ，７ｅ）及び前記切抜部（８，９）は、第１の前記ラッチ耳（７ｄ）が第１の前記切抜部（８）に係合するかあるいは第２の前記ラッチ耳（７ｅ）が第２の前記切抜部（９）に係合するかのいずれか一方だけの方式で、配置されている、
家具部品のための伸縮式ガイド。
【請求項２】
制動器（１４）、好ましくは制動型自己引き込み装置が、前記伸縮式ガイド（１）に配置されていることを特徴とする、請求項１に記載の伸縮式ガイド。
【請求項３】
前記ラッチ要素（７）が、主脚（７ａ）と２つのラッチ脚（７ｂ，７ｃ）とを有し、これら２つのラッチ脚が、鋭角をなして主脚（７ａ）へ取り付けられていることを特徴とする、請求項１又は２に記載の伸縮式ガイド。
【請求項４】
前記主脚（７ａ）から離れて向いている前記２つのラッチ脚（７ｂ，７ｃ）の側面にそれぞれ、前記走行用レール（２）の前記切抜部（８，９）に係合するために使用される前記ラッチ耳（７ｄ，７ｅ）の一方が設けられていることを特徴とする、請求項１〜３のいずれか一項に記載の伸縮式ガイド。
【請求項５】
前記第１の切抜部（８）は、前記引き出しの第１の嵌め込みの際における取り付けの直後に該第１の切抜部が前記第１のラッチ耳（７ｄ）によって到達され、それによって、前記第１のラッチ耳が該第１の切抜部の中に係合するような方式で、前記走行用レール（２）に、長手方向に配置され、及び／又は、構成されていることを特徴とする、請求項１〜４のいずれか一項に記載の伸縮式ガイド。
【請求項６】
前記第２の切抜部（９）は、前記引き出しの充分に活動的な第２の及び／又はさらに別の嵌め込みの際に、該第２の切抜部が前記第２のラッチ耳（７ｅ）によって到達され、それによって、前記第２のラッチ耳が該第２の切抜部の中に係合するような方式で、前記走行用レール（２）に、長手方向に配置され、及び／又は、構成されていることを特徴とする、請求項１〜５のいずれか一項に記載の伸縮式ガイド。
【請求項７】
前記ラッチ耳（７ｄ，７ｅ）の前記停止面（１０，１１）と前記切抜部（８，９）における止め具との間隔が、前記切抜部（８，９）の対応停止面（１２，１３）同士の間隔よりも小さいことを特徴とする、請求項１〜６のいずれか一項に記載の伸縮式ガイド。
【請求項８】
前記ラッチ要素（７）が、クリップ継手を使用して、前記引き出しの横向きフレーム（６）へ固定されていることを特徴とする、請求項１〜７のいずれか一項に記載の伸縮式ガイド。
【請求項９】
前記ラッチ要素（７）が、ロック解除用把手（７ｈ）を有していることを特徴とする、請求項１〜８のいずれか一項に記載の伸縮式ガイド。
【発明の詳細な説明】
【技術分野】
【０００１】
本発明は、家具本体の中で変位可能に配置された引き出しや伸張体などの家具部品のための伸縮式ガイドであって、上記家具部品に固定されていてもよいラッチ要素によって上記家具部品へ掛止することのできる走行用レールを有し、かつ、上記家具本体に固定されていてもよい少なくとも１つの案内用レールを有し、さらに、好ましくはあるいは場合によっては、伸張長さを増大させるとともに上記案内用レールと上記走行用レールとの間に配置された中央レールを有している、家具部品のための伸縮式ガイドに関するものである。
【背景技術】
【０００２】
この種の型の伸縮式レールは、同一の出願人からの種によるドイツ実用新案公開公報ＤＥ  ８９０３７４１  Ｕ１号あるいはＤＥ  ２０  ２００５  ００５  ４８９  Ｕ１号に、それ自体、上に述べたように、公知である。
【０００３】
従って、それが家具本体の中で変位可能に配置された家具部品を、上記家具部品が上記走行用レールに対してその前方端部領域において固定されたような方法で、上記走行用レールへ、その軸方向に連結するとともにその軸方向に対して横方向にも連結することは、上記第１の公報にまず知られている。
【０００４】
その連結は、上記変位可能な家具部品が１回目で完全に嵌め込まれたときにこの連結が引き起こされるような方式で、果たされる。
【０００５】
この従来技術に基づいて、ドイツ実用新案公開公報ＤＥ  ２０  ２００５  ００５  ４８９  号では、上記家具部品の上記走行用レールへの軸方向連結が上記１回目の、可動型家具部品が近接されるかあるいは嵌め込まれる後のすべての環境において保証されるような方式で伸縮式ガイドが設計されていることが示唆されている。このことは、上記走行用レールがまだ完全には嵌め込まれていないときに上記案内用レールあるいは中央レールの前部に押し付けられる嵌め込み制限器が上記走行用レールの上記前方端部領域に配置されることで、達成される。上記ラッチ要素は、ラッチくぼみの中のラッチカム及び／又は上記走行用レールの開口に係合するものであるが、その嵌め込み遮断位置の外側で枢動可能である。
【０００６】
従って、上記走行用レールと上記家具部品との間の連結は、上記走行用レールが最終嵌め込み位置へ到達する直前に上記嵌め込み方向において初めは自動的に阻止され、かつ、上記走行用レールと上記家具部品との間における上首尾の連結の後に再びわずかに解除される点で確実にされ、上記制限器は、この連結を引き起こす手段によって、その嵌め込み遮断位置の外側で枢動可能である。このため、さらに確実で最適化された取り付けがもたらされる。
【０００７】
この設計によれば、さらに別の最適化も可能である。従って、上記嵌め込み制限器は、上記中央レールの前方面に載置されており、刃物によって作り出され、カットラウンディング（第１の切断側面）、接続面、及び破砕面（ささくれを有している破損区域）を含む剪断面を有している。このささくれは時には、取り付けの際に邪魔なものであることがわかる。
【発明の開示】
【発明が解決しようとする課題】
【０００８】
本発明は、この問題を少なくとも大幅に解決し、かつ、この種による構成を、高い取り付け安全性を達成するとともに上記の諸問題を防止するような方式で改良する、という目的を有している。
【課題を解決するための手段】
【０００９】
本発明によれば、請求項１の主題によって上記目的が達成される。
【００１０】
有利な実施形態は従属請求項から推測することができる。
【００１１】
本発明によれば、上記ラッチ要素には２つのラッチ耳が備わっており、また、上記走行用レールには、引き出しの嵌め込み方向において互いにずらせて配置された２つ以上の切抜部が備わっており、これらのラッチ耳及び切抜部は、その取り付け状態において、第１のラッチ耳が第１の切抜部に係合するかあるいは第２のラッチ耳が第２の切抜部に係合するかのいずれか一方だけのような方式で、配置されている。
【００１２】
しかしながら、引き出しの慣性力が、嵌め込みの際に、上記切抜部における上記ラッチ耳の摩擦力よりも少し大きいと、すなわち、その引き出しが例えば制動器の中へ突入すると、上記第１のラッチ耳は上記切抜部から係合解除される。すると、引き出しは、上記走行用レールの上を滑り、また、上記第２のラッチ耳が上記第２の切抜部に係合する。従って、上記第２の取り付け位置は容易にかつ確実に到達されるものであるが、その位置では、引き出しに、上記嵌め込み位置に場合により存在するそのフロントパネルが備わっている。この型の取り付けは、簡単で、かつ、確実である。
【００１３】
上記の状態は、好ましくはその伸張通路の少なくとも一部にわたる引き出しのばね支持型引き込みのために、上記伸縮式ガイドの上に配置された制動型自己引き込み装置によって、便宜的に実施することができる。
【００１４】
本発明による構成は、安全機能を満たすためと、すでにその第１の予備取り付け状態にある引き出しを横向きフレームへ確実にかつ係留状に連結するために使用される。上記第１の切抜部は、その切抜部が上記引き出しの一次嵌め込みの際に上記第１のラッチ耳によって確実に到達されて上記耳が上記切抜部の中に係合するような方式で、上記走行用レールに長手方向に配置され及び／又は実施されている。
【００１５】
この予備係合位置によって、上記引き出しも、その予備取り付けの際に、上記引き出しが上記制動型自己引き込み装置に対して走行し、上記第２のラッチ耳が上記第２の切抜部へ到達する、充分に活動的なさらに別の開放及び閉鎖の後に、上記引き出しがもはや滑ることのない最終掛止位置に到達するまで上記諸要素が互いに係合解除されないような方式で、固定される。
【００１６】
捕捉耳の停止面と上記切抜部における止め具との間隔は、それらの切抜部における対応停止面同士の間隔よりも小さく決められているのが特に好ましい。
【００１７】
従来技術において提供された上記嵌め込み制限器は、これに伴って起きる上記諸問題とともに不要になる。
【００１８】
本発明を、代表的な実施形態に基づいた図面を参照しながら、以下に詳しく説明する。
【発明を実施するための最良の形態】
【００１９】
図１において、家具本体の中に変位可能に配置された引き出しなどの、家具部品のための伸縮式ガイドが、全体として参照符号１によって示されている。
【００２０】
この伸縮式ガイドには、変位可能な家具部品へ連結することのできる走行用レール２と、図示の家具部品３に固定された案内用レール４と、走行用レール２と案内用レール４との間に配置された、伸張長さを増大させるための中央レール５とが備わっている。
【００２１】
図２には、全体として参照符号７によって示されたラッチ要素が引き出しと伸縮式ガイド１の走行用レール２との間の連結を引き起こすために使用されるクリップ継手によって上に固定された引き出しの横向きフレーム６が、示されている。
【００２２】
図２、図３ａ及び図３ｂには、ラッチ要素に主脚７ａと２つのラッチ脚７ｂ，７ｃとが備わり、これらのラッチ脚は、互いに屋根のように方位付けられ、及び／又は、鋭角をなして主脚７ａへ取り付けられているものの、これらのラッチ脚の自由端は互いにつながっていない、ということが示されている。
【００２３】
これら２つのラッチ脚７ｂ，７ｃには、主脚７ａから離れる方向に向いたこれらのラッチ脚の側面にそれぞれ、ラッチ耳７ｄ，７ｅが設けられている。
【００２４】
さらにまた、主脚７ａには、横向きフレーム６のウェブ６ａに対応して構成された支持部の上に固定するとともにそのウェブを補強するための突起７ｆが、クリップ手段７ｇを備えて構成されている。
【００２５】
ラッチ要素７は、このようにして、まず、横向きフレーム６に固定される。
【００２６】
ラッチ要素７の第１のラッチ耳７ｄは、以下で説明されるような方法で、走行用レール２の第１の切抜部８（図６）の中に係合し、従って、上記引き出しが引き出されて再び嵌め込まれた後に、第２のラッチ耳７ｅが走行用レール２の長手方向において第１の切抜部８に対してずれた状態に第２の切抜部９の中に係合するまで、最初の取り付けにおいて上記引き出しを走行用レール２へ予備的に連結するために、使用される。
【００２７】
図４には、上記支持部の上に取り付けられたラッチ要素７を備えているとともにウェブ６ａを補強するための横向きフレーム６の底面図が示されている。
【００２８】
図６ａ〜図６ｄには、上記取り付けの間、異なる多数の段階における走行用レール２の前方端部領域が示されている。
【００２９】
明らかなことであるが、可動型家具部品と走行用レール２との間における軸方向連結のために、この走行用レール２には、ラッチ要素７のラッチ耳７ｄ，７ｅの一方がそれぞれ係合することのできる少なくとも２つの切抜部８，９が設けられている。
【００３０】
ロック解除用把手７ｈを利用して、掛止された特定のラッチ耳７ｅを手で走行用レール２の特定の切抜部８，９から移動させ、従って連結を解除することが、可能である。
【００３１】
家具本体３の中へ引き出し９を、第１のかつ少なくとも１つのさらに別の嵌め込みによって嵌め込む、図６ａ〜図６ｄに示された遂行の諸段階によれば、走行用レール２と上記引き出しのフレーム６との間の連結が確実に行われたときに、横向きフレーム６の備わった引き出しを家具本体３の内部へまず完全に引き込むことができる、ということが保証される。
【００３２】
この手順は、図６ａ〜図６ｄに基づいて、以下のように、もう一度、説明される。
【００３３】
上記初期取り付けの際に、横向きフレーム６及びラッチ要素７が備わっている引き出しは、伸縮式ガイド１及び／又は走行用レール２の上に位置しているとともに、そのパネルが家具本体３において停止するまで、押される（図６ａ）。
【００３４】
この引き出しの（右側フレーム及び左側フレームに配置された）好ましくは２つのラッチ要素７の一方におけるラッチ耳７ｄ，７ｅの少なくとも一方は、切抜部８，９の少なくとも一方及び／又はこの伸縮式ガイドの走行用レール２のラッチ窓の一方に到達する（図６ｂ）。
【００３５】
この引き出しの次の開口が伸張止め具（下方画像）へ到ると、この引き出しは伸張レールに対して滑ることができるものの、もはや滑り外れることはできない（安全止め具；図６ｃ）。上記ラッチ部品における停止面１０，１１同士の間隔は、切抜部８，９の停止面１２，１３同士の間隔よりも小さい。
【００３６】
開放された後に、横向きフレーム６が備わっているこの引き出しが力強く閉じられると、この引き出しは、引き出し６を押し込むと制動器１４の中へ走行し（例えば、少なくとも伸張通路の一部にわたって横向きフレームが備わっている引き出し（６）の好ましくはばね支持型引き込みのための制動型自己引き込み装置）、また、上記第２のラッチ要素が走行用レール２の第２の切抜部９へ到達するその閉鎖位置におけるこの遅延型発生の時に、後方の、充分遠くまで滑る（図６ｄ）。
【図面の簡単な説明】
【００３７】
【図１】本発明による伸縮式ガイドの正面図である。
【図２】ラッチ要素及び図１の伸縮式ガイドに加えて、引き出しフレームの諸要素の分解斜視図を示している。
【図３ａ】上記ラッチ要素の斜視図を示している。
【図３ｂ】上記ラッチ要素の斜視図を示している。
【図４】図１及び図２の伸縮式ガイドの部分図を示している。
【図５】捕捉要素の区域における引き出し及び伸縮式ガイドを通る垂直断面図を示している。
【図６ａ】家具部品と走行用レールとの間における嵌め込み及び連結の際のある段階の簡略化模式図を示している。
【図６ｂ】家具部品と走行用レールとの間における嵌め込み及び連結の際のある段階の簡略化模式図を示している。
【図６ｃ】家具部品と走行用レールとの間における嵌め込み及び連結の際のある段階の簡略化模式図を示している。
【図６ｄ】家具部品と走行用レールとの間における嵌め込み及び連結の際のある段階の簡略化模式図を示している。
【符号の説明】
【００３８】
１…伸縮式ガイド、２…走行用レール、３…家具本体、４…案内用レール、５…中央レール、６…横向きフレーム、６ａ…補強用ウェブ、７ａ…主脚、７ｂ，７ｃ…ラッチ脚、７ｄ，７ｅ…ラッチ耳、７ｆ…突起、７ｇ…クリップ手段、７ｈ…ロック解除用把手、切抜部、１０，１１，１２，１３…停止面、１４…制動器
【図１】
2009517151.tif 000003
【図２】
2009517151.tif 000004
【図３ａ】
2009517151.tif 000005
【図３ｂ】
2009517151.tif 000006
【図４】
2009517151.tif 000007
【図５】
2009517151.tif 000008
【図６ａ】
2009517151.tif 000009
【図６ｂ】
2009517151.tif 000010
【図６ｃ】
2009517151.tif 000011
【図６ｄ】
2009517151.tif 000012
【国際調査報告】
2009517151.tif 000013
2009517151.tif 000014
2009517151.tif 000015
2009517151.tif 000016